【手続補正書】
【提出日】平成20年7月24日(2008.7.24)
【手続補正１】
【補正対象書類名】明細書
【補正対象項目名】発明の名称
【補正方法】変更
【補正の内容】
【発明の名称】記録媒体の記録方法、データ記録及び／又は再生方法及び記録媒体の記録再生装置
【手続補正２】
【補正対象書類名】明細書
【補正対象項目名】特許請求の範囲
【補正方法】変更
【補正の内容】
【特許請求の範囲】
【請求項１】  個体識別データと記録することのできるデータ量を示すデータと上記個体識別データと上記データ量を示すデータとを用いて生成され少なくとも上記個体識別データと上記データ量を示すデータとが正当なデータであるか否かを示す検出データとを含む識別データとが記録された記録媒体から読み出された識別データを送信し、
コンテンツを含むデータとともに送信されてきた更新された上記データ量を示すデータを含む上記識別データを上記記録媒体に記録する記録媒体の記録方法。
【請求項２】  上記記録媒体は、データが記録されるデータ記録領域と上記識別データが記録されている管理データ領域とを備え、上記方法は上記コンテンツを含むデータを上記データ記録領域に記録し、上記更新された上記データ量を含む上記識別データを上記管理データ領域に記録する請求項１記載の記録媒体の記録方法。
【請求項３】  個体識別データと少なくとも上記個体識別データを用いて生成され少なくとも上記個体識別データが正当なデータであるか否かを示す検出データとを含む識別データが記録された記録媒体から上記識別データを読み出し、
上記読み出されたデータと選択データとを複数のデータを記憶するサーバ装置に送信し、
上記サーバ装置で上記送信されてきた識別データの上記個体識別データに基づいて検出データを生成し、上記生成された検出データと上記送信されてきた識別データから抽出された検出データとを比較し、上記生成された検出データと上記送信されてきた識別データから抽出された検出データとが一致しているときには上記選択データに対応するデータを読み出して送信し、
上記送信されてきたデータを上記記録媒体に記録するデータ記録及び／又は再生方法。
【請求項４】  上記サーバ装置は、上記生成された検出データと上記送信されてきた識別データから抽出された検出データとが一致しなかったときには上記選択データに対応するデータの読み出しを禁止する請求項３記載のデータ記録及び／又は再生方法。
【請求項５】  上記識別データは、更に上記個体識別データとともに上記検出データを生成する上記記録媒体に記録することのできるデータ量を示すデータを含み、上記サーバ装置は上記読み出された識別データの個体識別データと上記データ量を示すデータとに基づいて検出データを生成する請求項３記載のデータ記録及び／又は再生方法。
【請求項６】  上記サーバ装置は、一方向性の関数を用いて上記検出データを生成する請求項５記載のデータ記録及び／又は再生方法。
【請求項７】  上記サーバ装置は、上記生成された検出データと上記送信されてきた識別データから抽出された検出データとが一致したときには上記データ量を示すデータが上記記録媒体に上記選択されたデータに対応するデータの記録が可能であるか否かを判別する請求項５記載のデータ記録及び／又は再生方法。
【請求項８】  上記サーバ装置は、上記データ量を示すデータが上記記録媒体に上記選択されたデータの記録が可能であると判別されたときには上記選択データに対応するデータを読み出して送信する請求項７記載のデータ記録及び／又は再生方法。
【請求項９】  上記サーバ装置は、上記データ量を示すデータを更新し、上記選択されたデータに対応するデータとともに上記更新されたデータ量を示すデータを含む上記識別データを送信する請求項８記載のデータ記録及び／又は再生方法。
【請求項１０】  上記方法は、上記選択されたデータに対応するデータとともに送信されてきた更新された上記データ量を示すデータを含む上記識別データを上記記録媒体に記録する請求項８記載のデータ記録及び／又は再生方法。
【請求項１１】  上記サーバ装置は、上記データ量を示すデータが上記記録媒体に上記選択されたデータの記録が不可能であると判別されたときには上記選択データに対応するデータの読み出しを禁止する請求項７記載のデータ記録及び／又は再生方法。
【請求項１２】  上記方法は、上記記録媒体から上記識別データを読み出し、上記読み出された識別データの個体識別データに基づいて検出データを生成し、上記読み出された識別データから抽出された検出データと上記生成された検出データとを比較し、比較した結果、上記読み出された識別データから抽出された検出データと上記生成された検出データとが一致しているときには、上記記録媒体から読み出されたデータの出力を許可する請求項３記載のデータ記録及び／又は再生方法。
【請求項１３】  上記方法は上記比較した結果、上記読み出された識別データから抽出された検出データと上記生成された検出データとが一致しないときには、上記記録媒体から読み出されたデータの出力を禁止する請求項１２記載のデータ記録及び／又は再生方法。
【請求項１４】  上記識別データは、更に上記個体識別データとともに上記検出データを生成する上記記録媒体に記録することのできるデータ量を示すデータを含み、上記方法は上記読み出された識別データの個体識別データと上記データ量を示すデータとに基づいて検出データを生成する請求項１２記載のデータ記録及び／又は再生方法。
【請求項１５】  上記方法は、一方向性の関数を用いて上記検出データを生成する請求項１４記載のデータ記録及び／又は再生方法。
【請求項１６】  個体識別データと少なくとも上記個体識別データを用いて生成され少なくとも上記個体識別データが正当なデータであるか否かを示す検出データとを含む識別データとが記録された記録媒体を走査するヘッド部と、
上記ヘッド部からの出力信号に再生のための信号処理を施す信号処理部と、
上記ヘッド部によって読み出された識別データと選択データとを送信するとともに、送信されてきた上記選択データに対応するデータを受信する通信部と、
上記記録媒体から読み出された上記識別データの上記個体識別データに基づいて検出データを生成する生成部と、
上記読み出された識別データから抽出された検出データと上記生成部によって生成された検出データとを比較する比較部と、
上記信号処理部からの出力データが供給され、上記比較部からの比較結果に基づく出力データによって上記信号処理部からの出力データの出力が制御される出力部と、
上記通信部を介して受信した上記選択データに対応するデータを上記記録媒体に記録するための信号処理を施し、上記ヘッド部に供給する記録信号処理部とを備えている記録媒体の記録再生装置。
【請求項１７】  上記比較部は、上記読み出された識別データから抽出された検出データと上記生成された検出データとが一致しているときには、上記出力部を制御して上記信号処理部からの出力データを出力する請求項１６記載の記録媒体の記録再生装置。
【請求項１８】  上記比較部は、上記読み出された識別データから抽出された検出データと上記生成された検出データとが一致しないときには、上記出力部を制御して上記信号処理部からの出力データを禁止する請求項１６記載の記録媒体の記録再生装置。
【請求項１９】  上記識別データは、更に上記個体識別データとともに上記検出データを生成する上記記録媒体に記録することのできるデータ量を示すデータを含み、上記生成部は上記読み出された識別データの個体識別データと上記データ量を示すデータとに基づいて検出データを生成する請求項１６記載の記録媒体の記録再生装置。
【請求項２０】  上記生成部は、一方向性の関数を用いて上記検出データを生成する請求項１９記載の記録媒体の記録再生装置。
【請求項２１】  上記装置は、上記選択されたデータとともに送信されてきた更新された上記データ量を示すデータを含む上記識別データを上記記録媒体に記録する請求項１９記載の記録媒体の記録再生装置。
【手続補正３】
【補正対象書類名】明細書
【補正対象項目名】０００１
【補正方法】変更
【補正の内容】
【０００１】
【発明の属する技術分野】
本発明は、ネットワークを介してダウンロードしたコンテンツデータが記録されるデータ記録媒体に管理データを記録する記録媒体の記録方法、データ記録及び／又は再生方法及び記録媒体の記録再生装置に関する。
【手続補正４】
【補正対象書類名】明細書
【補正対象項目名】０００６
【補正方法】変更
【補正の内容】
【０００６】
本発明の目的は、記録可能量データ等の改竄を防止することができるデータ記録媒体に管理データを記録する記録媒体の記録方法、データ記録及び／又は再生方法及び記録媒体の記録再生装置を提供することにある。
【手続補正５】
【補正対象書類名】明細書
【補正対象項目名】０００７
【補正方法】変更
【補正の内容】
【０００７】
【課題を解決するための手段】
本発明に係る記録媒体の記録方法は、上述した課題を解決すべく、個体識別データと記録することのできるデータ量を示すデータと上記個体識別データと上記データ量を示すデータとを用いて生成され少なくとも上記個体識別データと上記データ量を示すデータとが正当なデータであるか否かを示す検出データとを含む識別データとが記録された記録媒体から読み出された識別データを送信し、コンテンツを含むデータとともに送信されてきた更新された上記データ量を示すデータを含む上記識別データを上記記録媒体に記録する。
【手続補正６】
【補正対象書類名】明細書
【補正対象項目名】０００８
【補正方法】変更
【補正の内容】
【０００８】
本発明に係るデータ記録及び／又は再生方法は、個体識別データと少なくとも上記個体識別データを用いて生成され少なくとも上記個体識別データが正当なデータであるか否かを示す検出データとを含む識別データが記録された記録媒体から上記識別データを読み出し、上記読み出されたデータと選択データとを複数のデータを記憶するサーバ装置に送信し、上記サーバ装置で上記送信されてきた識別データの上記個体識別データに基づいて検出データを生成し、上記生成された検出データと上記送信されてきた識別データから抽出された検出データとを比較し、上記生成された検出データと上記送信されてきた識別データから抽出された検出データとが一致しているときには上記選択データに対応するデータを読み出して送信し、上記送信されてきたデータを上記記録媒体に記録する。
【手続補正７】
【補正対象書類名】明細書
【補正対象項目名】０００９
【補正方法】変更
【補正の内容】
【０００９】
本発明に係る記録媒体の記録再生装置は、個体識別データと少なくとも上記個体識別データを用いて生成され少なくとも上記個体識別データが正当なデータであるか否かを示す検出データとを含む識別データとが記録された記録媒体を走査するヘッド部と、上記ヘッド部からの出力信号に再生のための信号処理を施す信号処理部と、上記ヘッド部によって読み出された識別データと選択データとを送信するとともに、送信されてきた上記選択データに対応するデータを受信する通信部と、上記記録媒体から読み出された上記識別データの上記個体識別データに基づいて検出データを生成する生成部と、上記読み出された識別データから抽出された検出データと上記生成部によって生成された検出データとを比較する比較部と、上記信号処理部からの出力データが供給され、上記比較部からの比較結果に基づく出力データによって上記信号処理部からの出力データの出力が制御される出力部と、上記通信部を介して受信した上記選択データに対応するデータを上記記録媒体に記録するための信号処理を施し、上記ヘッド部に供給する記録信号処理部とを備えている。
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】変更
【補正の内容】
【００２４】
【発明の実施の形態】
以下、本発明が適用された記録媒体の記録方法、データ記録及び／又は再生方法及び記録媒体の記録再生装置について、図面を参照して説明する。